(57)【特許請求の範囲】
【請求項１】
積雪部にヒータ線を配設し、積雪内部のヒータ線の周りを融雪することで積雪を割って落下させるように構成された落雪システムであって、
前記ヒータ線が、金属製中空管の内部に収納され、
該ヒータ線を収納した金属製中空管が、複数の支持金具によって前記積雪部の上方に所定の距離を隔てて配設され、
複数の前記金属製中空管が、垂直方向に所定の距離を隔てて平行に配設され、
前記支持金具が、固定部と、前記金属製中空管を挿入可能な複数の保持環と、前記固定部及び複数の保持環を接続する支柱を有することを特徴とする落雪システム。
【請求項２】
前記積雪部が、棟部から両方向に傾斜を有する屋根であり、
前記複数の金属製中空管が、屋根の棟部の稜線に沿って配設されていることを特徴とする請求項１に記載の落雪システム。
【請求項３】
前記複数の金属製中空管が、積雪部の端部に沿って配設されていることを特徴とする請求項１または請求項２に記載の落雪システム。
【請求項４】
前記ヒータ線が、金属製ケース内部に収納され、
該ヒータ線を収納した金属製ケースが、複数の締結具によって前記積雪部の端部に直接配設されていることを特徴とする請求項１乃至請求項３のいずれかに記載の落雪システム。
【請求項５】
前記ヒータ線が、温度感応制御機能を有することを特徴とする請求項１乃至請求項４のいずれかに記載の落雪システム。
【発明の詳細な説明】
【技術分野】
【０００１】
本発明は、建築物の屋根、スノーシェッドやトンネル等の上部、標識や信号灯等の構造物の上部等の積雪部にヒータ線を配設し、積雪のヒータ線の周りを融雪することで積雪を割って重力により地上に落下させる落雪システムに関するものである。
【背景技術】
【０００２】
積雪量の多い地域において、建築物の屋根、スノーシェッドやトンネル等の上部、標識や信号灯等の構造物の上部等の積雪部への積雪は、その重量による損壊の虞があるため、損壊する前に積雪を落下させる必要がある。
また、充分に損壊に耐えうる構造の場合であっても、自然落下の際の落雪量が多いと落雪による事故の虞もあり、また、落雪した周辺の交通の妨げとなるため、少ない量で積雪を落下させて、事故を防止するとともに落雪の処理負担を軽減するのが望ましい。
【０００３】
このために、積雪部の積雪を強制的に落下させる技術が知られている。
例えば、赤外線光源を屋根棟部の稜線方向に沿って水平方向に設けて、屋根棟部の積雪が赤外線によって融雪することにより、逆Ｖ字状の屋根上の積雪が両側面に分離され、それぞれ重力により屋根の傾斜に沿って落下するようにしたものが知られている（特許文献１を参照。）。
また、雨水及び融雪水を貯水槽に溜めて、この水をポンプによって屋根上に揚水・散水し、そして横樋・立樋によって再び回収することにより屋根雪を除雪するようにしたものが知られている（特許文献２を参照。）。
また、雪が滑り落ちる勾配屋根棟部の稜線方向に雪割りヒータ線を配設し、更に勾配屋根の両端部の勾配方向にも雪割りヒータ線を配設し、屋根雪が雪割りヒータ線の熱によって左右に分断され各々が自重によって落雪するようにしたものが知られている（特許文献２を参照。）。
【先行技術文献】
【特許文献】
【０００４】
【特許文献１】実用新案登録第３１２２８４２号公報
【特許文献２】特開２００５−８３１８０号公報
【特許文献３】実開昭６２−１５１３２８号公報
【発明の開示】
【発明が解決しようとする課題】
【０００５】
上記特許文献１に記載された公知技術では、赤外線光源をカバーする透明の保護カバーは、常時、風雨・雪に曝されるが、保護カバーの外表面が汚れていると、赤外線がその外表面で反射され屋根雪に効率よく照射されなくなり、保護カバー外周面を定期的に洗浄する必要がある。
赤外線光源は一般に高価であり更には消費電力が大きく、また、定期的に行う必要がある手入れや赤外線光源の交換を行う作業が高所作業となるため、その設備費、維持管理費がかかるという問題がある。
上記特許文献２に記載された公知技術では、屋根に水の循環ラインを設置する設備費、ラインフィルタの交換等に要する維持管理費、更にはポンプが駆動する際に発生する騒音等の問題がある。
【０００６】
上記特許文献３に記載された公知技術では、上記特許文献１および特許文献２に記載された公知技術の問題点はある程度解消されるものの、例えば、時間あたりの積雪量が多い場合には、急速に雪の横方向の結合力が強くなり積雪を自然に落下させることが困難となるため、ヒータ線の発熱量を大きくする必要があり、消費電力が大きく維持管理費がかかるという問題がある。
また、積雪部の傾斜では積雪が滑り落ちず、積雪の自重による横方向の圧力で積雪部の端部から押し出されて落雪する箇所においては、積雪の横方向の結合力が極めて強いため適用できないという問題があった。
そこで、本発明は上記従来技術の課題を解決することを目的とするものであって、簡易な構成で設備費および維持管理費が少なく、いかなる形状の積雪部にも適用可能であり、かつ、耐久性に優れ、安全に落雪することが可能な落雪システムを提供することにある。
【課題を解決するための手段】
【０００７】
本請求項１に係る発明は、積雪部にヒータ線を配設し、積雪内部のヒータ線の周りを融雪することで積雪を割って落下させるように構成された落雪システムであって、前記ヒータ線が、金属製中空管の内部に収納され、該ヒータ線を収納した金属製中空管が、複数の支持金具によって前記積雪部の上方に所定の距離を隔てて配設され、複数の前記金属製中空管が、垂直方向に所定の距離を隔てて平行に配設され、前記支持金具が、固定部と、前記金属製中空管を挿入可能な複数の保持環と、前記固定部及び複数の保持環を接続する支柱を有することにより、前記課題を解決するものである。
【０００８】
本請求項２に係る発明は、請求項１に係る落雪システムの構成に加え、前記積雪部が、棟部から両方向に傾斜を有する屋根であり、前記複数の金属製中空管が、屋根の棟部の稜線に沿って配設されていることにより、前記課題を解決するものである。
本請求項３に係る発明は、請求項１または請求項２に係る落雪システムの構成に加え、前記複数の金属製中空管が、積雪部の端部に沿って配設されていることにより、前記課題を解決するものである。
本請求項４に係る発明は、請求項１乃至請求項３のいずれかに係る落雪システムの構成に加え、前記ヒータ線が、金属製ケース内部に収納され、該ヒータ線を収納した金属製ケースが、複数の締結具によって前記積雪部の端部に直接配設されていることにより、前記課題を解決するものである。
本請求項５に係る発明は、請求項１乃至請求項４のいずれかに係る落雪システムの構成に加え、前記ヒータ線が、温度感応制御機能を有することにより、前記課題を解決するものである。
【発明の効果】
【０００９】
本請求項１に係る落雪システムによれば、ヒータ線は、金属製中空管に収納され積雪部の上方に所定の距離を隔てて配設されているため、堅牢な金属ストレート管によって保護され風雨雪等に直接曝されることなく、耐久性が向上し、維持管理費を軽減できるとともに、ヒータ線を収納した金属製中空管を複数の支持金具によって積雪部に配設する簡易な構造であるため、据え付けに係る設置費用はあまりかからず、工期についても短く、設備費を軽減できる。
また、金属製中空管の外周面全体がヒータ線の発熱の放熱面となるため、ヒータ線の熱を積雪に効率良く伝熱でき、消費電力を小さくすることが可能となる。
さらに、ヒータ線を収納した金属製中空管を積雪部の上方に所定の距離を隔てて配設することにより、放熱面積を広く確保することが可能となり、ヒータ線の熱を更に効率良く積雪に伝熱することが出来るようになる。
また、複数の金属製中空管を垂直方向に所定の距離を隔てて平行に配設することにより、大量に積雪した場合や、自重による横方向の圧力で積雪部の端部から押し出されて落雪する箇所等で、横方向の結合力が極めて強い場合でも、複数の金属製中空管によって積雪の上下方向複数箇所を融雪することで、金属製中空管の近傍を契機として重力によって確実に積雪を割って落下させることが可能となる。
【００１０】
本請求項２に記載の構成によれば、ヒータ線を収納した金属製中空管が、棟部から両方向に傾斜を有する屋根の稜線に沿って配設されていることにより、積雪は稜線の金属製中空管の近傍を契機として左右に割れ、稜線からそれぞれの方向に傾斜した屋根を重力によって滑って落下させることができる。
本請求項３に記載の構成によれば、ヒータ線を収納した金属製中空管が、積雪部の端部に沿って配設されていることにより、積雪部の傾斜では積雪が滑り落ちず、積雪の自重による横方向の圧力で積雪部の端部から押し出されて落雪する箇所においても、端部に達した積雪が金属製中空管の近傍で割れることにより横方向の結合力を弱めることができ、端部から外方に押し出される積雪の量が少なくても重力により容易に落下する。
このことで、積雪部の端部から大量の積雪が落下することなく、少量を安全に落雪することが可能となり、事故や周辺の交通の妨げとなることを防止できる。
【００１１】
本請求項４に記載の構成によれば、積雪部が傾斜を有し金属製中空管の近傍で割れた積雪が自重により滑って落雪する場合、積雪部の端部に直接配設されているヒータ線を収納した金属製ケースによって予めその周囲を融雪することによって、傾斜した積雪部を滑り落ちる積雪の端部における巻き込みや、引っ掛かりを防止できる。
このことで、積雪部全体の積雪を安全、確実に落雪させることが可能となる。
本請求項５に記載の構成によれば、ヒータ線として温度感応制御機能を有するヒータ線を使用することにより、ヒータ線の温度が所定の温度以下になった時にのみ通電し発熱するように設定可能であり、外気温や降雪による温度低下に応じて自動的に積雪の金属製中空管の近傍のみを融雪するように温度に調節されるため、不要な電力の消費が少なく維持管理費を軽減できる。
【図面の簡単な説明】
【００１２】
【図１】本発明の第１実施形態に係る落雪システムの説明図。
【図２】図１のＢ矢視図。
【図３】本発明の第１実施形態に係る支持金具の説明図。
【図４】本発明の第１実施形態に係るヒータ線の説明図。
【図５】図２の軒先部（積雪部の端部）の拡大図。
【図６】本発明の第２実施形態に係る落雪システムの説明図。
【図７】本発明の第３実施形態に係る落雪システムの説明図。
【図８】本発明の第４実施形態に係る落雪システムの説明図。
【発明を実施するための形態】
【００１３】
本発明は、積雪部にヒータ線を配設し、積雪内部のヒータ線の周りを融雪することで積雪を割って落下させるように構成された落雪システムであって、ヒータ線が金属製中空管の内部に収納され、該ヒータ線を収納した金属製中空管が積雪部から所定の距離を隔てて複数の支持金具によって積雪部に沿って配設されるとともに、垂直方向に所定の距離を隔てて平行に複数配設され、支持金具が、固定部と、金属製中空管を挿入可能な複数の保持環と、固定部及び複数の保持環を接続する支柱を有しており、簡易な構成で設備費および維持管理費が少なく、いかなる形状の積雪部にも適用可能であり、かつ、耐久性に優れ、安全に落雪することが可能なものであれば、その具体的な形態はいかなるものであっても良い。
本発明の落雪システムが採用される積雪部は、建築物の屋根や屋上、スノーシェッドやトンネル等の上部、標識や信号灯等の構造物の上部等のいかなるものであってもよく、金属製中空管の配設位置は、積雪部の形状や傾斜に応じて適宜の位置とすれば良い。
【００１４】
例えば、積雪部が棟部から両方向に傾斜を有する屋根の場合、金属製中空管をその屋根の棟部の稜線方向に沿って配設することで、ヒータ線を収納した金属製中空管によって積雪に融雪部分が生じて、大量に積雪する前に稜線部分で積雪が左右に割れて、屋根の傾斜にそって積雪が滑落する。
また、積雪部がスノーシェッドやトンネル等の上部であり、積雪が滑落するような傾斜がなく、積雪の自重による横方向の圧力で積雪部の端部から押し出されて落下する形状の場合、金属製中空管をその端部に沿って配設することで、ヒータ線を収納した金属製中空管によって積雪に融雪部分が生じて、大きく押し出される前に自重により積雪が割れ落下する。
【実施例１】
【００１５】
本発明の第１実施形態に係る落雪システム１００は、図１に示すように、積雪部が棟部１０２から両方向に傾斜を有する屋根１０１である、例えば住宅用の建物に設置され、屋根１０１に積もった雪を、棟部１０２を境に両側に割る（雪割り）ために発熱するヒータ線１１０と、ヒータ線１１０を内部に収納する金属製中空管１２０と、金属製中空管１２０を固定・支持する支持金具１３０と、ヒータ線１１０に対する電力の供給を断続するスイッチ１４０とを有している。
本実施形態では、ヒータ線１１０を収納した金属製中空管１２０が２本、複数の支持金具１３０によって、屋根１０１の棟部１０２の稜線１０４上垂直面内に、それぞれ所定の距離を隔てて平行に配設されている。
また、電源Ｅから金属製中空管１２０に収納されたヒータ線１１０までの配線１４１の途中には、スイッチ１４０が設けられている。
【００１６】
金属製中空管１２０は、中空構造で屋根１０１の棟部１０２の稜線１０４相当の長さを有し、熱伝導率が高く、あらゆる気象条件に耐えられる強度・剛性を有する材質、例えばステンレス鋼やアルミニウム等で構成されている。
例えば、金属製中空管１２０は、外径２２ｍｍの鋼製電線管であり、下部の金属製中空管１２０は屋根１０１の棟部１０２の稜線１０４から５０〜１５０ｍｍ離され、上部の金属製中空管１２０は下部の金属製中空管１２０から５０〜１５０ｍｍ離されて支持金具１３０によって支持されている。
支持金具１３０は、図３に示すように、稜線１０４を跨いで屋根１０１の棟部１０２上にビス１３６等で固定される固定部１３１と、稜線１０４上に垂直に延び先端に下部保持環１３３を有する下部支柱１３２と、下部保持環１３３の上部から垂直に延び先端に上部保持環１３５を有する上部支柱１３４とからなる。
【００１７】
支持金具１３０の固定部１３１と下部支柱１３２は、棟部１０２の稜線１０４を中心にして屋根１０１の表面に接合するように逆Ｙ字形を成しており、固定部１３１は、外径が例えば４ｍｍのビス１３６によって稜線の両側それぞれ２ヶ所ずつで屋根１０１の表面（鉄板等）に締結される。
なお、本実施例ではビス１３６によって屋根１０１の表面に止める際に、ビス１３６と屋根１０１の表面の間は防水シート１３７が挟み込まれており、必要に応じてコーキング処理等が施される。
支持金具１３０は、屋根１０１の棟部１０２の稜線１０４全体に所定の間隔（例えばピッチ８００ｍｍの等間隔）で固定され、それら支持金具１３０の下部保持環１３３および上部保持環１３５に、それぞれヒータ線１１０を収納した金属製中空管１２０が挿通固定される。
なお、下部保持環１３３および上部保持環１３５と金属製中空管１２０の固定は、適宜の固定部材を使用すれば良い。
また、設置される地域や、屋根１０１の傾斜、積雪の滑りやすさ等に応じて、金属製中空管１２０を３本以上平行に設けるため、支持金具１３０を、さらに支柱および保持環を有するものとしても良い。
【００１８】
ヒータ線１１０は、電源Ｅに接続されて電気回路を構成する発熱導体１１１と、該発熱導体１１１を平行に埋め込んで一体形成する芯体１１３と、該芯体１１３を複数の層で覆う被覆部１１２とを有し、サーモスタットが発熱導体１１１で構成する電気回路中の適宜の場所に挿入され、所定の温度以下になった時にのみ通電し発熱する温度感応制御機能を構成する。
本実施形態の温度感応制御機能を有するヒータ線１１０は、一般に公知で、同様の構成のものが市販されており、当該市販のものを使用することができる。
また、他の構成のヒータ線を使用してもよく、温度感応制御機能を有しないヒータ線を使用する場合は、配線１４１の途中に設けられたスイッチ１４０を適宜ＯＮ／ＯＦＦ操作を行うことで、使用者が判断してヒータ線を直接稼働させてもよい。
【００１９】
金属製中空管１２０は、ヒータ線１１０を収容するホルダとして機能する他に、ヒータ線１１０が発熱する熱を積雪に伝熱する放熱面としても機能し、金属製中空管１２０を支持金具１３０によって屋根１０１の棟部１０２の稜線１０４上の離れた位置に複数平行に設置することで、広い放熱面が確保される。
従来のヒータ線を利用したものは、細いヒータ線を直に屋根に或いは屋根から少し浮かせて設置するため、ヒータ線が発熱する熱が細いヒータ線近傍のごく限られた屋根雪にしか伝熱することができず、時間あたりの積雪量が多い場合には、急速に雪の横方向の結合力が強くなり、積雪を割って自然に落下させることが困難であった。
しかし、本発明では、ヒータ線１１０は金属製中空管１２０に収納され屋根１０１の棟部１０２の稜線１０４上の離れた位置に複数平行に設置されているため、ヒータ線１１０が発熱する熱は、複数の金属製中空管１２０の外周面近傍の広い範囲に伝熱することができ、金属製中空管１２０の近傍を契機として左右に割れ、積雪を安定して落雪させることができる。
また、ヒータ線１１０は堅牢な金属製中空管１２０に収納されているため、風雨雪等に直接曝されることなく、耐久性を有する。
【００２０】
また、本実施形態においては、図２、図５に示すように、傾斜した屋根１０１の積雪が滑り落ちる側の両軒先部１０３に沿ってヒータ線１１０が配設されている。
この軒先部１０３に設置されるヒータ線１１０は、金属製ケース１５０の内部に包み込まれ、軒先部１０３の端縁に沿って固定され、屋根１０１の表面（鉄板等）に連なるように配設されている。
金属製ケース１５０は、例えば厚さ０.３５mmのトタン板（鉄板）等を板金加工することにより製作することができるが、これに限定されず、軒先部１０３の端縁に接する面が大きければその断面形状は特に問わない。
このようにヒータ線１１０を軒先部１０３にも設置することにより、積雪の軒先部１０３での巻き込みを防止すると同時に、軒先部１０３で他の積雪に引っ掛からなくなり、軒先部１０３内側への巻き込みによる建物の損傷防止と併せて、屋根１０１の積雪全体の速やかな落雪を促すことができ、安全、確実に落雪させることが可能となる。
また、屋根１０１上で溶けた雪が軒先部１０３から氷柱として垂れ下がるのを防止するために使用することも可能である。
【００２１】
なお、本実施形態の落雪システム１００は、一般の家庭用電気１００Ｖを使用した場合、ヒータ線１１０の消費電力が１０ｍ当たり８０Ｗと少なく、１ｋＷｈ当たり２０円とし、１日１２時間稼動したとしても、消費電力量は１２ｈ×８０Ｗ＝９６０Ｗｈ≒１ｋＷｈで、電気代は約２０円／日と大変経済的である。
また、ヒータ線１１０は温度感応制御機能を有するため、スイッチ１４０常時をＯＮとしても、融雪の必要のない所定の温度以上の場合には通電せず、維持管理も容易となる。
本実施形態の落雪システム１００が適用される屋根１０１としては、傾斜があれば切妻型あるいは入母屋型等の屋根の形状は問わない。
また、屋根１０１の積雪を傾斜に沿って滑らせて落雪するため、鉄板葺きから成る勾配屋根が好適である。
【実施例２】
【００２２】
本発明の第２実施形態に係る落雪システム２００は、図６に示すように、積雪部がその上部２０６である道路２０７を覆うスノーシェッド２０５に設置され、スノーシェッド２０５の上部２０６に積もって自重により横方向の圧力を受けて道路２０７側にせり出してく積雪を割る（雪割り）ために、発熱するヒータ線（図示せず）と、ヒータ線を内部に収納する金属製中空管２２０と、金属製中空管２２０を固定・支持する支持金具２３０とを有している。
本第２実施形態では、ヒータ線を収納した金属製中空管２２０が２本、複数の支持金具２３０によって、スノーシェッド２０５の上部２０６の道路２０７に面した端縁に沿ってそれぞれ垂直方向に所定の距離を隔てて平行に配設されている。
【００２３】
金属製中空管２２０は第１実施形態と同様の形状で良く、支持金具２３０も、固定部（図示せず）をスノーシェッド２０５の上部２０６への固定に適した形状とする点を除いて第１実施形態と同様の形状で良い。
また、スノーシェッド２０５自体は、積雪量の多い地域に設置されることが多く、横方向の圧力のみで端部から押し出される状態の積雪は非常に密度が高いため、これを少量でも重力で落下するように割るためには、融雪部を多くする必要がある。
そのため、金属製中空管２２０を太くして収容されるヒータ線をより発熱量の多いものとし、支持金具２３０を上方に長いものとして金属製中空管２２０の位置を適宜上方に間隔を広げて設けても良く、また、３本以上の金属製中空管２２０を配置するようにしても良い。
【実施例３】
【００２４】
本発明の第３実施形態に係る落雪システム３００は、図７に示すように、積雪部が道路３０７の出入口の上部３０６であるトンネル３０８に設置され、トンネル３０８の出入口の上部３０６に積もって自重により横方向の圧力を受けて、あるいは後方の山の斜面からの滑落によって道路３０７側にせり出してく積雪を割る（雪割り）ために、発熱するヒータ線（図示せず）と、ヒータ線を内部に収納する金属製中空管３２０と、金属製中空管３２０を固定・支持する支持金具３３０とを有している。
本第３実施形態では、ヒータ線を収納した金属製中空管３２０が２本、複数の支持金具３３０によって、トンネル３０８の出入口の上部３０６の端縁に沿ってそれぞれ垂直方向に所定の距離を隔てて平行に配設されている。
【００２５】
金属製中空管３２０は第１実施形態と同様の形状で良く、支持金具３３０も、固定部（図示せず）をトンネル３０８の出入口の上部３０６の端縁への固定に適した形状とする点を除いて第１実施形態と同様の形状で良い。
また、トンネル３０８自体は、山間部に設置されることが多いため積雪量も多く、トンネル３０８の出入口の上部３０６の端縁から押し出される状態の積雪は非常に密度が高いため、これを少量でも重力で落下するように割るためには、融雪部を多くする必要がある。
そのため、金属製中空管３２０を太くして収容されるヒータ線（図示せず）をより発熱量の多いものとし、支持金具３３０を上方に長いものとして金属製中空管３２０の位置を適宜上方に間隔を広げて設けても良く、また、３本以上の金属製中空管３２０を配置するようにしても良い。
【実施例４】
【００２６】
本発明の第４実施形態に係る落雪システム４００は、図８に示すように、積雪部が極めて面積の小さな上部４０６である、道路標識４０９に設置され、道路標識４０９の上部４０６に積もる積雪を割る（雪割り）ために、発熱するヒータ線（図示せず）と、ヒータ線を内部に収納する金属製中空管４２０と、金属製中空管４２０を固定・支持する支持金具４３０とを有している。
本第４実施形態では、ヒータ線を収納した金属製中空管４２０が２本、複数の支持金具４３０によって、道路標識４０９の上部４０６に沿ってそれぞれ垂直方向に所定の距離を隔てて平行に配設されている。
【００２７】
金属製中空管４２０は第１実施形態と同様の形状で良く、支持金具４３０も、固定部（図示せず）を道路標識４０９の上部４０６への固定に適した形状とする点を除いて第１実施形態と同様の形状で良い。
道路標識４０９の上部４０６は非常に面積が小さいためその積雪量は小さいが、比較的交通量の多い道路の車線の直上に設置されることが多く、少量でも雪塊となって道路上に落下すると自動車や歩行者に直接被害をもたらす危険が高く、また、交通の妨げとなる確率も高い。
したがって、第４実施形態に係る落雪システム４００によって道路標識４０９の上部４０６の積雪の雪塊が大きくなる前に金属製中空管４２０によって割ることで、上記問題を解決することが可能となる。
なお、道路標識４０９の上部４０６は非常に面積が小さいため、金属製中空管４２０を細くして収容されるヒータ線（図示せず）をより発熱量の少ないものとし、支持金具４３０を短いものとして金属製中空管４２０の位置を適宜下方に間隔を小さくして設けても良い。
【００２８】
上記第２実施形態乃至第４実施形態におけるヒータ線への通電は、他に設置された屋外構造物への給電設備等から、適宜の構成で配線して行えば良い。
また、上記第１実施形態乃至第４実施形態における複数の金属製中空管１２０、２２０、３２０、４２０は、それぞれ１本の管で構成されていても良く、長手方向に適宜つなぎあわせたものであっても良い。
その際、金属製中空管１２０、２２０、３２０、４２０の支持金具１３０、２３０、３３０、４３０への固定部品が、金属製中空管１２０、２２０、３２０、４２０の長手方向の接続部品を兼ねていても良い。
【産業上の利用可能性】
【００２９】
本発明の落雪システムは、建築物の屋根、スノーシェッドやトンネル等の上部、標識や信号灯等の構造物の上部等の積雪部に積もる雪を、ヒータ線の周りを融雪することで割って重力により地上に落下させるものであり、積雪部を有し落雪が必要なあらゆる構造物に適用可能である。
【符号の説明】
【００３０】
１００、２００、３００、４００  ・・・  落雪システム
１０１                          ・・・  屋根
１０２                          ・・・  棟部
１０３                          ・・・  軒先部
１０４                          ・・・  稜線
２０５                  ・・・  スノーシェッド
２０６、３０６、４０６  ・・・  上部
２０７、３０７、４０７  ・・・  道路
３０８          ・・・  トンネル
４０９  ・・・  道路標識
１１０                          ・・・  ヒータ線
１１１                          ・・・  発熱導体
１１２                          ・・・  被覆部
１１３                          ・・・  芯体
１２０、２２０、３２０、４２０  ・・・  金属製中空管
１３０、２３０、３３０、４３０  ・・・  支持金具
１３１                          ・・・  固定部
１３２                          ・・・  下部支柱
１３３                          ・・・  下部保持環
１３４                          ・・・  上部支柱
１３５                          ・・・  上部保持環
１３６                          ・・・  ビス
１３７                          ・・・  防水シート
１４０                          ・・・  スイッチ
１４１                          ・・・  配線
１５０                          ・・・  金属製ケース
Ｅ                            ・・・  電源
【図１】
0006024187.tif 000002
【図２】
0006024187.tif 000003
【図３】
0006024187.tif 000004
【図４】
0006024187.tif 000005
【図５】
0006024187.tif 000006
【図６】
0006024187.tif 000007
【図７】
0006024187.tif 000008
【図８】
0006024187.tif 000009